(57)【特許請求の範囲】
【請求項１】
左右の側面パネルと前面パネルと背面パネルとで四面を囲ってゴミ収納部を構成し、前記ゴミ収納部を開閉できる蓋パネルを設けたゴミ集積ボックスであって、
前記蓋パネルは、複数枚の中空形材を用いて、該中空形材同士を互いに嵌合して形成されており、
前記中空形材は、長辺側の表裏両面の天板と、短辺側の左右両側の側板とからなる断面長四角形の長尺部材であって、
前記中空形材の左右の側板において、その一方の中央部には雌形嵌合部が側板の長手方向に沿って形成され、その他方の中央部には雄形嵌合部が側板の長手方向に沿って形成されており、
前記中空形材の左右の側板において、その一方の両端部には凹溝が側板の長手方向に沿って形成され、その他方の両端部には凸条が側板の長手方向に沿って形成されている。
ことを特徴とするゴミ集積ボックス。
【請求項２】
前記蓋パネルは、互いに嵌合された複数枚の中空形材の両端面に小口カバーを取付けており、
前記小口カバーは、前記中空形材の端面に取付けた状態で、該端面に固定される固定部材と、該端面との間で隙間があけられる隙間形成部材と、前記中空形材の表裏両面の天板の外縁を覆う２枚の側板とからなる
ことを特徴とする請求項１記載のゴミ集積ボックス。
【発明の詳細な説明】
【技術分野】
【０００１】
本発明は、ゴミ集積ボックスに関する。さらに詳しくは、自治体や公園、事業所等のゴミ収集場所に設置され、家庭や来園者、事業所等から出されるゴミを一時的に集積するゴミ集積ボックスに関する。
【背景技術】
【０００２】
従来より、ゴミ収集場所に出されたゴミ袋等を風雨や鳥獣被害から保護するため、金網で囲ったゴミ置きボックスが設けられている。しかし、金網製では内部が見通せることもあって外観上見苦しく、また風雨からの保護は不充分であり、鳥獣被害も完全には防ぐことができない。
【０００３】
そこで、近年、軽金属製のパネルで周囲を囲った閉鎖型のゴミ集積ボックスが見られるようになった。このような閉鎖型のゴミ集積ボックスとしては、特許文献１のものを例示できる。
このゴミ集積ボックスは、アルミニウム等の軽金属製のパネルを用いるもので、基本的には、左右一対の側面パネル、前面パネルと背面パネルとで四角形に囲った箱体を作り、天面に蓋パネルを開閉自在に取付けるものである。底パネルは固定的に設けるものと、折り畳み可能なもの等がある。
【０００４】
ところで、上記のゴミ集積ボックスをはじめ、従来のゴミ集積ボックスにおける蓋パネルは、板状の形材を複数枚と四角形の枠体を用い、その枠体に複数枚の形材の両端部をビス止めして構成されていた。このような構造はビス止め個所が多数あって、組立工数が多くなり生産効率は決して高いものではない。
【０００５】
【特許文献１】特開２００４−２５６１７９
【発明の開示】
【発明が解決しようとする課題】
【０００６】
本発明は上記事情に鑑み、組立工数が少なくて生産性の高い構造のゴミ集積ボックスを提供することを目的とする。
【課題を解決するための手段】
【０００７】
第１発明のゴミ集積ボックスは、左右の側面パネルと前面パネルと背面パネルとで四面を囲ってゴミ収納部を構成し、前記ゴミ収納部を開閉できる蓋パネルを設けたゴミ集積ボックスであって、前記蓋パネルは、複数枚の中空形材を用いて、該中空形材同士を互いに嵌合して形成されており、前記中空形材は、長辺側の表裏両面の天板と、短辺側の左右両側の側板とからなる断面長四角形の長尺部材であって、前記中空形材の左右の側板において、その一方の中央部には雌形嵌合部が側板の長手方向に沿って形成され、その他方の中央部には雄形嵌合部が側板の長手方向に沿って形成されており、前記中空形材の左右の側板において、その一方の両端部には凹溝が側板の長手方向に沿って形成され、その他方の両端部には凸条が側板の長手方向に沿って形成されていることを特徴とする。
第２発明のゴミ集積ボックスは、第１発明において、前記蓋パネルは、互いに嵌合された複数枚の中空形材の両端面に小口カバーを取付けており、前記小口カバーは、前記中空形材の端面に取付けた状態で、該端面に固定される固定部材と、該端面との間で隙間があけられる隙間形成部材と、前記中空形材の表裏両面の天板の外縁を覆う２枚の側板とからなることを特徴とする。
【発明の効果】
【０００８】
第１発明によれば、つぎの効果を奏する。
ａ）２枚の中空形材の連結が一方の中空形材の雄形の嵌合部材（雄形嵌合部と凸条）の一端から他方の中空形材の雌形の嵌合部材（雌形嵌合部と凹条）を挿入してスライドさせる動作のみで行え、一挙に完了する。このように作業性が極めて高く、ネジ止めに比べ作業時間が１／５程度に減少させることができる。
ｂ）隣り合う中空形材の雌形嵌合部と雄形嵌合部を嵌め合わせ、さらに凹溝に凸条を嵌め合わせると、隣り合う中空形材同士は中央部と両端部で連結されるので、しっかりと結合した状態が保たれる。
第２発明によれば、嵌合された状態の中空形材における表裏両面の天板が２枚の側板で覆われるので、蓋パネルが曲がりにくくなり、その強度を高めることができる。また、蓋パネル内に雨水等が浸入しても小口カバーの隙間形成部と中空形材の端面との間の隙間を通って排出されるので、蓋パネルの開閉が重くなることもなく、雨水の溜りによる汚れも生じない。
【発明を実施するための最良の形態】
【０００９】
つぎに、本発明の実施形態を図面に基づき説明する。
まず、ゴミ集積ボックスの全体構造を、図６〜図７に基づき説明する。
図６の（Ａ）図は本発明の一実施形態に係るゴミ集積ボックスの平面図、同（Ｂ）図は正面図である。図７の（Ａ）図は図６のゴミ集積ボックスの右側面図、同（Ｂ）図は左側面図である。
同図に示すように、本実施形態のゴミ集積ボックスは左右の側面パネル２，３と前面パネル４と背面パネル５とで四角形の箱体に形作られており、その内部がゴミ収納部となっている。また、図示しない底パネルを取付けて有底のボックスとしてもよく、無底のボックスとしてもよい。
【００１０】
前記各パネル２〜５はアルミニウム等の軽金属材料を用いたものであり、板状の形材や中空状の形材など、任意の材料が用いられる。各パネルの結合は、金具や支柱を介してビス止めしたり、ボルト止めするもの、あるいは嵌合によるもの、さらには溶接等の固定手段など、任意の方法を採用しうる。
上記のゴミ集積ボックスにおけるゴミ収納部には、これを開閉する蓋パネル１が取付けられる。蓋パネル１は背面パネル５、前面パネル４、左右の側面パネル２，３のいずれに取付けてもよいが、図示の実施形態では、背面パネル５の上端縁に取付けられている。
【００１１】
前記蓋パネル１は、ゴミ収容部を閉じたり開いたりできる大きさと形状を有しており、垂直面内で回動して開閉できるように、その後端縁は蝶番６で背面パネル５の上部に取付けられている。
【００１２】
つぎに、図１〜図５に基づき、蓋パネル１の詳細を説明する。
図１は本発明の一実施形態に係るゴミ集積ボックスにおける蓋パネルであって、図２のＩ矢視で示す断面図である。図２は図１のII矢視で示す蓋パネルの背面図である。
同図において、１１〜１８は蓋パネル１を構成する中空形材である。各中空形材１１〜１８は、アルミニウム等の軽金属材料を押出し成形した長尺の材料であり、断面は長四辺形で内部は空洞となっている。図１に示すように、本実施形態の蓋パネル１は途中で曲がってへの字形となっているので中間部の中空形材１４はヘの字形に曲がったものが用いられている。他の中空形材１２，１３，１５〜１８は曲がりのない直方体状の形材であり、同一形状同一寸法である。なお、先端の中空形材１１は直方体状であるが、幅の短いものとなっている。
【００１３】
前記蓋パネル１をヘの字形に曲げず、真直ぐに形成する場合は、全ての中空形材を直方体状のものとすればよい。
なお、前端の中空形材１１には取手２１が取付けられている。
【００１４】
つぎに、図３に基づき各中空形材の嵌合構造を説明する。
図３は図１における中空形材１２，１３を拡大して示している。他の形材も同じ嵌合構造であるため、中空形材１２，１３で代表させて説明する。
中空形材１２は、表裏両面の天板２１，２２と左右両側の側板２３，２４とから断面長四辺形に形成されている。そして、左右の側板２３，２４に２本の中空形材同士を結合させる嵌合部材が形成されているが、それは半円形嵌合部材と溝形嵌合部材の二つから構成されている。
【００１５】
まず、半円形嵌合部材を説明する。
前記一方の側板２３の中央部には略半円形の雌形嵌合部２５が形成されており、この雌形嵌合部２５は側板２３の長手方向に沿って延びている。他方の側板２４の中央部には略半円形の雄形嵌合部２６が形成されており、この雄形嵌合部２６は側板２４の長手方向に沿って延びている。この雄形嵌合部２６は前記雌形嵌合部２５の一端から挿入しスライドさせることによって嵌合させることが可能である。
【００１６】
つぎに、溝形嵌合部材を説明する。
前記一方の側板２３の両端部には、それぞれ凹溝２７が形成され、２ヵ所の凹溝は側板２３の長手方向に沿って延びている。さらに、他方の側板２４の両端部において、２枚の天板２１，２２を少し延長させて、その先端にそれぞれ凸条２８を形成している。この２ヵ所の凸条２８も、側板２４の長手方向に沿って延びている。この凸条２８は前記凹溝２７に対して嵌合可能である。
【００１７】
上記の嵌合部材のうち、雌形嵌合部２５と凹溝２７は、「雌形の嵌合部材」であり、雄形嵌合部２６と凸条２８は、「雄形の嵌合部材」である。
【００１８】
上記の嵌合構造によると、図３に示すように、隣り合う中空形材１２，１３の雌形嵌合部２５と雄形嵌合部２６を嵌め合わせ、さらに凹溝２７に凸条２８を嵌め合わせると、隣り合う中空形材１２，１３同士は互いに離れ離れになることなく、しっかりと結合した状態が保たれる。
この嵌合構造は既述のごとく他の中空形材同士も同じである。
そしてこの嵌合は、一方の中空形材の雄形の嵌合部材（２６，２８）の一端から他方の中空形材の雌形の嵌合部材（２５，２７）を挿入してスライドさせる動作のみで行え、一挙に完了するので、作業性が極めて高いものであり、ネジ止めに比べ作業時間が１／５程度に減少させることができるものである。
【００１９】
つぎに、小口カバー３０と小口キャップ４０を図４および図５に基づき説明する。
図４は図２のIV矢視で示す蓋パネルの側面図である。図５は蓋パネルの小口カバーと小口キャップの説明図である。
図４に示すように、小口カバー３０は、連結された中空形材１１〜１８の両端面に取り付けられる長尺のカバー材であり、アルミニウム製の押出形材等で作られる。そして、小口カバー３０の両端と中間部（への字形に折れ曲がった部分）には、小口キャップ４１〜４３が取付けられている。
【００２０】
前記小口カバー３０は図５（Ａ）に示すように、断面形状が中央のＵ形部３１と両側の閂形部３２，３３からなる。中央のＵ形部３１は、小口カバー３０を各中空形材１１〜１８の端面に固定するビスを通す固定部材であり、適当な間隔をあけてビス孔が形成されている。このビス孔に通されたビス３６は、図３に示す雄形嵌合部２６の円筒形の内部にねじ込むことにより、小口カバー３０を中空形材１１〜１８に固定することができる。
【００２１】
前記各小口カバー３０における両側の閂形部３２，３３の側片３４，３５は取付状態で、中空形材１１〜１８の表裏両面の天板２１，２２の外縁を覆うようになっており（図３も参照）、各中空形材１１〜１８を真直ぐに連結した状態を保つようになっている。換言すれば、中空形材１１〜１８の連結強度を高く保つように補強する補強材として機能することになる。
また、各小口カバー３０における閂形部３２，３３は、中空形材１１〜１８の各端面との間に隙間３７を形成する隙間形成部材である。このため、蓋パネル１内に雨水が侵入したとしても、その雨水は小口カバー３０の閂形部３２，３３の内面と各中空形材１１〜１８の端との間の隙間３７を通って下方から流れ出ることになる。つまり、隙間３７は蓋パネル１を形成する中空形材１１〜１８内に侵入した雨水を外部に排水するための水路として機能する。
よって、侵入した雨水によって蓋パネル１の開閉が重くなることもなく、また雨水が留まることによる汚れも生じないので、汚染防止に好ましいものである。
【００２２】
前記小口キャップ４１〜４３は、中空形材１１〜１８の端縁や小口カバー３０の端縁で、人の手を傷付けないように取付ける部材であり、ＡＳＡ（アクリルニトリル・スチレン・アクリレート）樹脂等で作られる。その形状は取付け個所に合わせて作ればよく、取付け方法もビス止めや嵌め込みなど任意でよい。本実施形態の小口キャップ４１，４２はビス止めであるが、取付側端部の小口キャップ４３は嵌め込みである。
【００２３】
ビス止めの構造を例示すると、図５（Ｂ）に示すとおりである。キャップ本体４５は被せたい個所に合わせて任意に成形した形を有しており、取付足４６がキャップ本体４５から延びている。この取付足４６を前記小口カバー３０の閂形部３２，３３の下側に挿入し、ビス４７を閂形部３２，３３を通して、取付足４６にねじ込むと、小口キャップ４１を小口カバー３０に取付けることができる。
なお、小口キャップ４２はキャップ本体の形は違っても、取付足を用いて小口カバーに取付ける構造は同様である。
【００２４】
本実施形態のゴミ集積ボックスは、蓋パネル１として複数枚の中空形材１１〜１８を嵌合して組付けており、ビス止め個所がないので組立工数が大幅に少なくなる。このため、生産性が向上する。また、その嵌合作業は、中空形材に雄形の嵌合部材（雄形嵌合部２６と凸条２８）と雌形の嵌合部材（雌形嵌合部２５と凹溝２７）が形成されているので、互いに挿入しスライドさせるだけで嵌合できるので、組付けを容易に行える。そして、嵌合された状態の中空形材１１〜１８の端面に小口カバー３０が取付けられているので、曲がりにくくなり、蓋パネル１の強度を高めることができる。
【図面の簡単な説明】
【００２５】
【図１】本発明の一実施形態に係るゴミ集積ボックスにおける蓋パネルであって、図２のＩ矢視で示す断面図である。
【図２】図１のII矢視で示す蓋パネルの背面図である。
【図３】図１に示す蓋パネルの一部拡大図である。
【図４】図２のIV矢視で示す蓋パネルの側面図である。
【図５】蓋パネルの小口カバーと小口キャップの説明図である。
【図６】（Ａ）図は本発明の一実施形態に係るゴミ集積ボックスの平面図、同（Ｂ）図は正面図である。
【図７】（Ａ）図は図６のゴミ集積ボックスの右側面図、同（Ｂ）図は左側面図である。
【符号の説明】
【００２６】
１          蓋パネル
２          左側面パネル
３          右側面パネル
４          前面パネル
５          背面パネル
１１〜１８  中空形材
２５        雌形嵌合部
２６        雄形嵌合部
２７        凹溝
２８        凸条
【図１】
0004891931.tif 000002
【図２】
0004891931.tif 000003
【図３】
0004891931.tif 000004
【図４】
0004891931.tif 000005
【図５】
0004891931.tif 000006
【図６】
0004891931.tif 000007
【図７】
0004891931.tif 000008